(57)【特許請求の範囲】
【請求項１】
一側に給水配管(４００)と連結され、他側に結合具(１２０)が形成される連結ボディ(１００)が備えられ、水栓(３００)に形成された連結管(３２０)が前記結合具(１２０)に嵌められ、水栓(３００)が連結ボディ(１００)に結合することによって給水の供給を受けて排出するようになり、
前記結合具(１２０)の内部にはグラブリング(１４０)が形成され、前記連結管(３２０)には作動リング(３４０)がネジ結合してネジ山に沿って前進と後進をするように設けられ、
前記作動リング（３４０）とグラブリング（１４０）との間に圧迫リング（３５０）が配置され、
前記連結管（３２０）の外周面にはグラブリング（１４０）の鋸歯が掛かる係止溝（３２２）が形成され、
前記作動リング(３４０)が前進すれば、圧迫リング（３５０）は作動リング（３４０）の移動により押されて前進しながらグラブリング(１４０)を拡張させて、グラブリング（１４０）と係止溝（３２２）との間の掛かりが解除されて、連結管(３２０)を結合具(１２０)から分離できるようになる、設置と分離が容易な水栓の結合構造。
【請求項２】
前記作動リング(３４０)と結合具(１２０)との間に止めキャップ(３６０)が配置され、前記連結管(３２０)と作動リング(３４０)が貫通するようになり、
前記作動リング(３４０)が止めキャップ(３６０)と共に回転するように形成される、請求項１に記載の分離が容易な水栓の結合構造。
【発明の詳細な説明】
【技術分野】
【０００１】
本発明は、給水を供給する給水配管に水栓を結合する構造に関するものであって、特に設置と分離が容易な水栓の結合構造に関するものである。
【背景技術】
【０００２】
水栓具（Ｗａｔｅｒ  ｓｕｐｐｌｙ  ｕｎｉｔ）とは、屋内の壁体などに設けられ、給水元から給水配管を通じて給水の伝達を受け、水道蛇口または排水管を通じて最終的に給水を排水する装置を総称する装置である。
【０００３】
このような水栓具は、図１に示した通り、水道蛇口に代表される水栓３００と、供給元から供給される給水を水栓に伝達する給水配管を連結する連結ボディ１００とを含む。前記連結ボディ１００は、一側に給水を供給する給水配管が連結され、他側には水栓３００が連結される形態をなすところ、大韓民国特許公開第１０−２０１０−００６３４１１号「ストップ機能を有した水栓具」（２０１０年６月１１日）に開示されている。
【０００４】
前記のような連結ボディ１００は、通常、壁体に埋め込まれた状態で設けられ、水栓と給水配管を連結するようになる。この時、壁体にはハウジング２００が埋設されているため、前記連結ボディ１００が収容され得る空間を提供するようになる。
【０００５】
ここで、水栓３００は、連結ボディ１００にネジ結合をなすようになることができる。ところが、ネジ結合の場合、水栓３００の連結部分を連結ボディ１００に突き合わせた状態でナットを締めて結合する構成であって、別途の工具が必要なだけでなく、時間も長くかかる等、煩わしさが発生する。
【０００６】
前記のような問題を解決するために、大韓民国実用新案登録第２０−０１７２０７９号（１９９５年１１月２５日）「配管パイプ連結具用グラブリング」に開示されたようなグラブリング（ｇｒａｂ  ｒｉｎｇ）という付属を連結ボディに設け、水栓に形成された連結管が前記グラブリングを貫通するように嵌めて結合させる構成が提案された。前記グラブリングは、一側方向に傾斜した多数の鋸歯が形成されているため、水栓に形成された連結管が前進しながら嵌められることはできるが、後退するようになると、前記鋸歯が連結管の外周面を強く圧迫しながら抜けないようにする付属であるので、水栓を連結ボディに簡便に結合させることができながらも容易に分離されないようにして結合状態を堅固に維持できるようになった。もちろん前記のような結合構造でも水栓に形成された連結管と連結ボディとの間に水密のためにパッキングなどが設けられることは当然である。
【０００７】
ところが、前記のようにグラブリングで水栓を連結ボディに結合するようになると、結合作業は簡便であるという利点があるが、水栓を交換したり補修するために水栓を連結ボディから分離することが難しいという問題が発生した。水栓を分離するためには、グラブリングに形成された鋸歯を押し広げなければならないが、制限された空間で水栓を設けなければならないことによって十分な作業空間の確保が難しいだけでなく、水栓自体も大きさが小さくて工具の使用自体が難しいため、前記のような問題が発生する。
【発明の概要】
【発明が解決しようとする課題】
【０００８】
本発明は、前記のような問題を解決するためのものであって、水栓を容易に設けることができながらも交換やメンテナンスや補修が必要な場合、簡便に分離できるようにする、設置と分離が容易な水栓の結合構造を得ることにその目的がある。
【課題を解決するための手段】
【０００９】
本発明では、水栓を分離しようとする時、グラブリングに形成された鋸歯を容易に広げて水栓を分離できるようにする手段を提案して前記の目的を達成する。
【発明の効果】
【００１０】
本発明によると、水栓を容易に設けることができて施工の利便性が向上し、必要時に容易に分離できてメンテナンスや補修の利便性も向上する。
【図面の簡単な説明】
【００１１】
【図１】従来の水栓が連結ボディに結合して設けられた状態を示す例示図である。
【図２】本発明が適用された水栓の構造を示す分解図である。
【図３】図２の結合状態の断面図である。
【図４】水栓が設けられた状態を示す例示図である。
【図５】図２のＡ部分を拡大して作動リングの動作により鋸歯が押される作動を示す例示図である。
【図６】図２のＡ部分を拡大して作動リングの動作により鋸歯が押される作動を示す例示図である。
【発明を実施するための形態】
【００１２】
本発明は、水栓を容易に設けることができながらも交換やメンテナンスや補修が必要な場合、簡便に分離できるようにする、設置と分離が容易な水栓の結合構造を得るために、一側に給水配管と連結され、他側に結合具が形成される連結ボディが備えられ、水栓に形成された連結管が前記結合具に嵌められて水栓が連結ボディに結合することによって給水の供給を受けて排出するようになるものの、前記結合具の内部にはグラブリングが形成され、前記連結管には作動リングが前進と後進をするように設けられ、前記作動リングが前進すれば、グラブリングを拡張させて連結管を結合具から分離できるようになる、設置と分離が容易な水栓の結合構造を提案する。
【００１３】
以下、本発明を添付した図面の図２〜図６を参考として詳細に説明する。
本発明による水栓３００は、連結ボディ１００に着脱式に固定される。前記連結ボディ１００は、壁面に埋設されるハウジング２００の内部に設けられるが、概ね、「Ｌ」字の形態に形成され、上方には水栓３００が連結される結合具１２０が形成され、下部には給水配管４００が連結される。この構成を通じて給水配管４００を流れる給水が連結ボディ１００を通って水栓３００に供給される。
【００１４】
前記ハウジング２００の前面には前カバー２２０が形成される。連結ボディ１００を設けたり、連結ボディ１００に給水配管４００を連結する時、前記前カバー２２０を開けたり閉じたりしてハウジング２００の内部を開放するようになる。このようなハウジング２００は、通常、プラスチックで製作され得るが、これに限定されるわけではない。
【００１５】
連結ボディ１００に形成された結合具１２０は、前記前カバー２２０を貫通して外部に現れる。壁の外部に現れるのである。この状態で水栓３００が前記結合具１２０に結合するが、水栓３００には連結管３２０が形成され、前記連結管３２０が結合具１２０に嵌められることによって結合する。
【００１６】
前記結合具１２０にはグラブリング１４０が備えられる。グラブリング１４０はリング形態をなし、中心側に突出する鋸歯が形成されているところ、前記鋸歯は結合具１２０の内部方向に傾斜して形成される。従って、水栓３００に形成された連結管３２０が前記結合具１２０に嵌められれば、連結管３２０が前進しながら末端が鋸歯を押して嵌められ、反対に、連結管３２０が後進する場合には、鋸歯が連結管３２０の外周面に摩擦されながら立てられ、連結管３２０が容易に抜けないようになる。このようなグラブリング１４０の構成は、公知となったものと大きく変わらない。
【００１７】
前記のようにグラブリング１４０が備えられる構成において、連結管３２０の外周には係止溝３２２が形成され、係止溝３２２に前記鋸歯の終端が掛かって抜けないように形成される。そして連結管３２０と結合具１２０との間の隙間を塞いで給水が漏れないようにするために、適切な密閉手段、例えば、パッキングのような密閉手段が備えられ得る。
【００１８】
一方、水栓３００を交換する必要がある時には、水栓３００を引っ張って連結管３２０を結合具１２０から抜き出さなければならない。ところが、連結管３２０を抜き出すために引っ張っても前記鋸歯が連結管の外周面を圧迫しているため、容易に抜けなくなる。特に、係止溝３２２に鋸歯が掛かっていれば、抜き出すのが事実上不可能なほど難しいので、前記鋸歯を押して横にすることにより広げて連結管３２０を抜き出すことができるようにする手段が必要である。本発明では、前記鋸歯を横にすることができる手段として連結管３２０の外周に嵌められる作動リング３４０が採択される。
【００１９】
このような作動リング３４０は、パイプ形態をなし、一定の長さを有するように形成され、連結管３２０に沿って前進と後進をするように形成される。作動リング３４０が前進をすれば、作動リング３４０の先端が連結ボディ１００に形成されている結合具１２０に進入するようになり、それにより、連結管３２０の外周を圧迫している鋸歯を押すようになる。これにより、鋸歯が横たえられながら連結管３２０の外周から離れるようになる。この状態で連結管３２０を後進させれば、連結管３２０が後進しながら結合具１２０から抜け出るようになるものである。
【００２０】
一方、作動リング３４０が過度に前進すれば、作動リング３４０の先端がグラブリング１４０を行き過ぎるようになることがあり得るので、前進させる距離を適宜調節することは当然である。
【００２１】
前記のように作動リング３４０が直接グラブリング１４０の鋸歯を押す構成とは異なり、間接的に押すように構成され得る。図５及び図６に示した通り、作動リング３４０と鋸歯との間に前進と後進をしながら鋸歯を圧迫する圧迫リング３５０が形成され、作動リング３４０が前記圧迫リング３５０を押すことにより、鋸歯が押されて横たえられるようにする構成である。この場合、圧迫リング３５０の後端は結合具１２０の外部に現れるように形成され、結合具１２０の外部で作動リング３４０により押されるようになり、前端は矢印の形態に傾斜して形成され、鋸歯と傾斜して当接しながら押せるように形成される。
【００２２】
前記構成では、作動リング３４０が結合具１２０の入口に当接してこれ以上前進できなくなる。そのような理由で圧迫リング３５０が結合具１２０の外部に現れる長さにより圧迫リング３５０が前進できる最大距離が決定されるので、鋸歯を安定的に押し、押す力が除去されれば、元の位置に戻され得る長さを予め計算して外部に現れる長さを決定するようになる。
【００２３】
前記作動リング３４０は、連結管３２０にネジ結合してネジ山に沿って前進と後進をするように設けられ得る。連結管３２０にネジ山が形成され、作動リング３４０が内周面にもネジ山が形成されることによってネジ結合するようになる。この構成によると、作動リング３４０を前進または後進させる距離を容易に調節できるようになり、また、所望の分だけ前進または後進された状態で押されず、位置が固定されるようにすることができる。
【００２４】
作動リング３４０が連結管３２０にネジ結合する前記構成では、前記作動リング３４０の外周には山と谷を形成することができる。これを通じて手や工具で作動リング３４０を掴んで回転させる時、摩擦を極大化して滑らず、円滑に作動させることができるようになる。
【００２５】
作動リング３４０と結合具１２０との間に止めキャップ３６０が配置され、前記連結管３２０と作動リング３４０が貫通するように形成され得る。止めキャップ３６０は、ハウジング２００の外部に現れた結合具１２０を覆って外観を見栄え良くする作用をするが、更に、本発明では、前記作動リング３４０が止めキャップ３６０と共に回転するように形成されることによって、作動リング３４０をさらに容易に回転させることができるように形成される。
【００２６】
前記のように作動リング３４０が止めキャップ３６０と共に回転するようになる構成は、作動リング３４０の外周と止めキャップ３６０の内周にギアの歯のような形状に山と谷を形成することによって達成され得る。これを通じて止めキャップ３６０を回転させて作動リング３４０を前進または後進させることができるようになる。また、必要な場合、止めキャップ３６０の外周形状を多角形に形成すれば、さらに円滑に回転させられるようになる。
【００２７】
以上で説明したような本発明に係る水栓の結合構造によると、水栓３００を結合する時には、単に連結管３２０を結合具１２０に嵌め込むだけで容易に連結ボディ１００に結合して設けられるようになり、分離する時にも作動リング３４０を通じてグラブリング１４０が連結管３２０の外周面を圧迫している状態を容易に解除して連結管３２０を結合具１２０から抜き出して分離できるようになるので、メンテナンスや補修の利便性も向上するようになる。
【図１】
0006561121.tif 000002
【図２】
0006561121.tif 000003
【図３】
0006561121.tif 000004
【図４】
0006561121.tif 000005
【図５】
0006561121.tif 000006
【図６】
0006561121.tif 000007